(57)【要約】【課題】フード部材を照明部に精度よく取り付ける。【解決手段】ランプ１２の光によって一定の範囲に向けて照射して前記一定の範囲を照明する照明部３と、この照明部３が上部に首振り可能に支持され設置場所に取り付けられる本体部２と、この本体部２の下部に設けられ検知エリア内への侵入物の侵入を検知する検知センサ部４とを備える。照明部３の保護キャップ部３Ｂには係合凸部３Ｂａが形成され、フード部材１１のフード基部１１Ａに係合凸部３Ｂａ係脱可能に係合する係合凹部２１ａが形成される。フード部材１１を照明部３から取り外した状態で使用する場合には、フード部材１１のフード基部１１Ａに対応する形状を有するダミーリング２１が用いられる。【選択図】  図５
2009152157.tif 000002
【特許請求の範囲】
【請求項１】
光源を有し前記光源の光を一定の範囲に向けて照射して前記一定の範囲を照明する照明部と、この照明部が上部に首振り可能に支持され設置場所に取り付けられる本体部と、この本体部あるいは本体部の下部に設けられ予め定められた検知エリア内への侵入物の侵入を検知する検知センサ部とを備え、前記検知センサ部による侵入物の侵入の検知により前記光源を点灯又は点滅するセンサライトであって、
前記照明部に着脱可能に取り付けられ前記光の全部又は一部の照射方向を規制するフード部材と、前記照明部と前記フード部材との間に設けられ前記照明部に対する前記フード部材の位置決めをする位置決め手段とを備え、
前記フード部材を前記照明部に取り付けた状態あるいは前記フード部材を前記照明部から取り外した状態で使用されることを特徴とするセンサライト。
【請求項２】
前記照明部は、前記光源を収納する照明本体部と、前記光源からの光が透過する透光部を有し前記照明本体部を保護する保護キャップ部とを備え、前記照明本体部に対し前記保護キャップ部が着脱可能に取り付けられるものであり、
前記フード部材は、前記照明本体部と保護キャップ部との間に挟持され前記照明部に取り付けられる基部と、前記基部に連接され前記照明部より突出して延びるフード本体部とを有するものであり、
前記位置決め手段は、前記照明部の照明本体部または保護キャップ部の少なくとも一方に形成される係合部と、前記フード部材の基部に形成され前記係合部に係脱可能に係合する被係合部とで構成されることを特徴とする請求項１に記載のセンサライト。
【請求項３】
前記フード部材を前記照明部から取り外した状態で使用する場合に用いられるダミーリングを備え、
前記ダミーリングは、前記フード部材の基部に対応する形状を有することを特徴とする請求項２に記載のセンサライト。
【発明の詳細な説明】
【技術分野】
【０００１】
本発明は、侵入物の検知により光源を点灯又は点滅（フラッシング）する、主として防犯用に使用されるセンサライトに関するものである。
【背景技術】
【０００２】
一般に、センサライトは、光源を有し前記光源の光を一定の範囲に向けて照射して前記一定の範囲を照明する照明部と、検知エリア内への侵入物の侵入を検知する検知センサ部とを備え、前記検知センサ部による侵入物の検知により前記光源を点灯又は点滅するものであり、主として防犯用に使用される。そして、そのようなセンサライトにおいて、前記照明部による照射方向を変更あるいは調整できるように構成されたものも知られている（例えば、特許文献１参照）。
【０００３】
そのようなセンサライトは、住宅街の戸建て住宅の玄関先、カーポートなどに設置され、検知センサ部による侵入物の検知により光源を点灯又は点滅する構成となっているので、センサライトの光源が点灯又は点滅した場合に、左右両隣や向かいの住居まで照明し、迷惑をかけるおそれがあり、いわゆる光害の問題を生ずる。
【０００４】
一方、光量の少ない光源を使用すると、照明範囲を住居内に制限することは可能であるが、必要な照度が得られず、照明範囲が非常に暗くなり、照明効果が得られない。
【０００５】
そこで、光源からの光の全部又は一部の照射方向をフード部材にて規制することで、センサライトによる照明範囲を制御し、使用者が必要とする範囲内のみを照明することができるセンサライトを先に出願している（特願２００６−３５５５６７号参照）。
【０００６】
ところで、いわゆる光害の問題を防止するために、左右両隣や向かいの住居への照明を回避し、下方を照明する必要があるために、フード部材による規制によって光源からの光が下方に照射されるようにフード部材を取り付ける必要がある。
【特許文献１】特開平１０−１４４１３４号公報（段落０００９〜００１１および図１）
【発明の開示】
【発明が解決しようとする課題】
【０００７】
しかしながら、フード部材を照明部に対し、取り付ける基準もなく単に取り付けると、フード部材を照明部に対し所定の位置に取り付けることができず、光源からの光の一部が、左右両隣や向かいの住居まで照明するように取り付けてしまうおそれがある。
【０００８】
また、フード部材を取り付ける照明部が首振り可能に支持されていても、その首振り可能な角度範囲内での調整では、左右両隣や向かいの住居まで照明するのを回避するのが困難な場合もある。
【０００９】
この発明は、フード部材を照明部に精度よく取り付けることができるセンサライトを提供することを目的とする。
【課題を解決するための手段】
【００１０】
請求項１の発明は、光源を有し前記光源の光を一定の範囲に向けて照射して前記一定の範囲を照明する照明部と、この照明部が上部に首振り可能に支持され設置場所に取り付けられる本体部と、この本体部あるいは本体部の下部に設けられ予め定められた検知エリア内への侵入物の侵入を検知する検知センサ部とを備え、前記検知センサ部による侵入物の侵入の検知により前記光源を点灯又は点滅するセンサライトであって、前記照明部に着脱可能に取り付けられ前記光の全部又は一部の照射方向を規制するフード部材と、前記照明部と前記フード部材との間に設けられ前記照明部に対する前記フード部材の位置決めをする位置決め手段とを備え、前記フード部材を前記照明部に取り付けた状態あるいは前記フード部材を前記照明部から取り外した状態で使用されることを特徴とする。ここで、使用されるフード部材の形状に応じて、光源からの光の全部の照射方向が規制されたり、光の一部の照射方向が規制されたりする。
【００１１】
このようにすれば、照明部とフード部材との間に、前記照明部に対する前記フード部材の位置決めをする位置決め手段を設けているので、照明部にフード部材を取り付けるだけで、首振り可能な範囲内での照明部の向きの調整により、左右両隣や向かいの住居への照明を規制して、下方を照明することができる所定の位置に取り付けることができる。よって、前記位置決め手段に基づきフード部材を照明部に取り付けるだけで、精度よく取り付けられ、フード部材を用いて隣近所への光害を回避することができる。
【００１２】
請求項２に記載のように、前記照明部は、前記光源を収納する照明本体部と、前記光源からの光が透過する透光部を有し前記照明本体部を保護する保護キャップ部とを備え、前記照明本体部に対し前記保護キャップ部が着脱可能に取り付けられるものであり、前記フード部材は、前記照明本体部と保護キャップ部との間に挟持され前記照明部に取り付けられる基部と、前記基部に連接され前記照明部より突出して延びるフード本体部とを有するものであり、前記位置決め手段は、前記照明部の照明本体部または保護キャップ部の少なくとも一方に形成される係合部と、前記フード部材の基部に形成され前記係合部に係脱可能に係合する被係合部とで構成することができる。ここで、係合部と被係合部との係合関係は、少なくとも、照明部の照明本体部または保護キャップ部と、フード部材との周方向の位置を規制するものであればよい。
【００１３】
このようにすれば、照明部の照明本体部または保護キャップ部の少なくとも一方に形成される係合部と、前記フード部材の基部に形成される被係合部とを係脱可能に係合することで、フード本体部によって光源からの光の照射方向を規制して、左右両隣や向かいの住居への照明が回避されるように取り付けることができる。しかもそのような係合部、被係合部であれば、前記本体部の設置場所への取付方法に影響を与えるおそれもない。
【００１４】
請求項３に記載のように、前記フード部材を前記照明部から取り外した状態で使用する場合に用いられるダミーリングを備え、前記ダミーリングは、前記フード部材の基部に対応する形状を有する構成とすることができる。
【００１５】
このようにすれば、左右両隣や向かいの住居への照明を考慮する必要がなく、フード部材を取り外した状態で使用する場合には、従来と同様に、前記一定の範囲に向かって光源の光を照射し、比較的広範囲となる前記一定の範囲を照明することができる。この場合、フード部材の基部を挟持する隙間に、ダミーリングが配置されるので、そのような隙間が空間となることがない。よって、その隙間（空間）に落ち葉などの燃えやすいものが挟まり、照明ガラスなどが高温（２００℃程度）になり、燃えるという問題が回避される。
【００１６】
また、ダミーリングは、前記フード部材の基部に対応する形状を有し、つまり前記ダミーリングには、前記フード部材の基部の被係合部に対応する被係合部が形成されているので、フード部材の基部が前記照明本体部と保護キャップ部との間に挟持されるのと同様にダミーリングも挟持され、ダミーリングも無理なく取り付けることができる。
【発明の効果】
【００１７】
本発明は、上記のように、照明部とフード部材との間に、前記照明部に対して前記フード部材を位置決めする位置決め手段を設けているので、照明部にフード部材を取り付けるだけで、首振り可能な範囲内での照明部の向きの調整により、左右両隣や向かいの住居への照明を回避して、下方を照明することができる所定の位置に取り付けることができる。
【発明を実施するための最良の形態】
【００１８】
以下、本発明の実施の形態を図面に沿って説明する。
【００１９】
図１はそれぞれ本発明に係るセンサライトの一実施の形態を示す斜視図、図２（ａ）（ｂ）は同側面図および底面図、図３（ａ）（ｂ）（ｃ）はそれぞれフード部材を取り外した状態の側面図、正面図および平面図である。
【００２０】
図１および図２（ａ）（ｂ）に示すように、センサライト１は、基本構造は従来のものと同様で、設置場所に取付固定される本体部２と、この本体部２の上部に左右方向及び上下方向に首振り可能に取り付けられた照明部３と、この本体部２の下端部に左右方向及び上下方向に回転可能に取り付けられる検知センサ部４とにより構成され、主として防犯用に使用されるものである。
【００２１】
続いて、照明部３に着脱可能に取り付けられる、本発明の特徴点であるフード部材１１及びこのフード部材１１と照明部３との関係について説明する。なお、本体部２及び検知センサ部４については、従来と同様の構造であるので、その詳細な説明は省略する。
【００２２】
センサライト１の照明部３は、光源としてのランプ１２や反射板１３を収納する照明本体部３Ａと（図５参照）、照明本体部３Ａの前側に取り付けられランプ１２や反射板１３を保護する保護キャップ部３Ｂとを備える。そして、照明部３は、首振り可能な角度範囲が、左方向および右方向それぞれ６０°ずつで左右方向に１２０°の範囲で、上方向１０°、下方向５０°で上下方向に６０°の範囲とされ、検知センサ部４による侵入物の侵入の検知によりランプ１２を点灯又は点滅するものである。
【００２３】
また、照明部３には、ランプ１２の光の一部の照射方向を規制するフード部材１１（フード部）が着脱可能に取り付けられるようになっている。よって、センサライト１を設置する場所に応じて、フード部材１１を照明部３に取り付けた状態で使用するか（図２（ａ）（ｂ）参照）、フード部材１１を照明部３から取り外した状態で使用するか（図３（ａ）〜（ｃ）参照）を選択して使用することができる。
【００２４】
一方、フード部材１１は、図４（ａ）〜（ｄ）に示すように、上側部分が略半円筒状に形成されるフード基部１１Ａと、そのフード基部１１Ａの前側に連接される断面半円弧状のフード本体部１１Ｂとを有し、この基部１１Ａが、照明本体部３Ａと保護キャップ部３Ｂとの間に挟持されることで、照明部３にフード部材１１が取り付けられる。フード本体部１１Ｂの内面は、表面処理を施さずそのままの面とするほか、前記ランプからの光を反射する反射率が高くなるように表面処理を施すことも可能である。
【００２５】
また、フード部材１１は、それの上側部分の上縁１１ａが角度θ１だけ前下がりに傾斜し、また、側面視で前記上側部分の前縁１１ｂと、照明部３の前縁３ａ（フード部材１１の基部１１Ａ）とがなすフード遮光角度θ２が４６°〜７０°の範囲となるように形成されている。よって、フード部材１１は、照明部３の首振り可能な角度範囲のいずれかの角度において、フード部材１１の上側部分の前縁１１ｂが側面視で略水平方向に延びる状態にすることができる。よって、この状態とすれば、後述するように、検知エリア外を通過する第三者の目線で照明部からの光が第三者の目にほとんど入らないようにすることができるので、この状態を基準として、使用者が照明範囲の微調整をすることができる。なお、フード部材１１の上側部分の後縁１１ｃは、前縁１１ｂを基部１１Ａと接続するために、フード遮光角度θ２よりも小さい角度θ３で傾斜している。
【００２６】
また、フード部材１１の基部１１Ａには、係合凹部１１Ａａが形成される一方、保護キャップ部３Ｂには、図１０（ａ）（ｂ）に示すように、係合凹部１１Ａａに係脱可能に係合する係合凸部３Ｂａが形成されている。なお、係合凸部３Ｂａ（係合部）と係合凹部１１Ａａ（被係合部）とによって、照明部３に対するフード部材１１の位置決めをする位置決め手段が構成される。
【００２７】
よって、フード部材１１を取り付ける場合には、係合凹部１１Ａａと係合凸部３Ｂａとの係合関係でフード部材１１を照明部３に取り付けることで、フード部材１１は所定の照射方向について光の照射を規制するように、つまり、左右両隣や向かいの住居への照明を回避（あるいは制限）して、下方を照明することができるように照明部３の上側位置（所定の位置）に精度よく取り付けられることになる。ここで、フード部材１１の基部１１Ａは、照明本体部３Ａと保護キャップ部３Ｂとの間に挟持されるので、係合凹部１１Ａａと係合凸部３Ｂａとの係合関係は、照明部３に対しフード本体部１１Ｂが周方向において回転しないものであればよく、それらの形状については特に制限されない。
【００２８】
照明部３のランプ（光源）としては、通常、ハロゲンランプが用いられ、そのランプの発熱により、フード部材１１の温度は１００℃〜２２０℃程度まで上昇するので、この温度に耐えれる耐熱材料をフード部材１１の材料として用いることが望ましい。また、センサライト１は、住宅街の戸建て住宅の玄関先、カーポートなどの屋外に設置されるので、耐候性のよい材料であることも望ましい。
【００２９】
フード部材１１を取り付ける場合には、図５に示すように、照明本体部３Ａの先端筒状部に、防水パッキン１４、ランプ１２からの光あるいは反射板１３で反射された光が透過する透光部例えば耐熱ガラス１５、フード部材１１の基部１１Ａおよび保護キャップ部３Ｂの順に取り付けられる。フード部材１１の基部１１Ａは、照明本体部３Ａと保護キャップ部３Ｂとの間に挟持されることで、照明部３にフード部材１１が取付固定される。
【００３０】
保護キャップ部３Ｂは、照明本体部３Ａの先端筒状部に、嵌合あるいはねじ止めなどにより取り付けられる。この保護キャップ部３Ｂは、照明本体部３Ａを保護する機能も有する。
【００３１】
このように照明部３にフード部材１１を設けているものであれば、図６に示すように取付高さＨでもって設置した場合には、目線Ａをもってセンサライト１を見ても、照明部３が下方に傾いており、フード部材１１による照射方向についての規制効果で、ランプ１２や反射板１３が完全に見えず、光害を防止する上で有利となる。なお、目線Ａが前縁１１ｂと同じ高さであると見えないが、目線Ａより角度α程度下方の破線Ａ’よりも下方になると、ランプ１２からの光が見える。
【００３２】
よって、このようなフード部材１１を照明部３に対し使用しなければ、図７（ｂ）に示すように、左右両隣や向かいの住居まで照明が広がり、左右両隣や向かいの住居への光害の原因となるが、フード部材１１を使用し、照明部３の首振り角度を調整すれば、図７（ａ）に示すように、照明部３に対しフード部材１１（フード本体部１１Ｂ）を設けた側において、ランプ１２からの光の照射方向が規制され、センサライト１による照明範囲が制限される。よって、フード部材１１によって照明範囲が制限され、左右両隣や向かいの住居にまでランプ１２の光が照射されるという光害が回避される。なお、フード部材１１のフード遮光角度θ２と、照明部３の首振り角度βとを適宜変更して組み合わせることで、遮光距離の調整が可能となる。
【００３３】
また、隣近所に対する光害を考慮する必要がない場合など、図８に示すように、フード部材１１を取り外した状態で使用する場合には、照明本体部３Ａの先端筒状部に、防水パッキン１４、耐熱ガラス１５、ダミーリング２１および保護キャップ部３Ｂの順で取り付けられる。このダミーリング２１は、フード部材１１を取り外した場合に、照明本体部３Ａと保護キャップ部３Ｂとの間に形成される隙間が埋めるもので、図９（ａ）（ｂ）に示すように、フード部材１１の基部１１Ａに対応した形状を有し、保護キャップ部３Ｂの係合凸部３Ｂａに係脱可能に係合する係合凹部１１Ａａが形成されている。よって、ダミーリング２１が係合凹部２１ａと係合凸部３Ｂａとの係合関係で所定の位置関係に、周方向に回転しないように取り付けられる。
【００３４】
このようにして、ダミーリング２１は、フード部材１１の基部１１Ａと同様に、照明本体部３Ａと保護キャップ部３Ｂとの間に挟持されることで取付固定される。
【００３５】
前記実施形態のほか、本発明は次のように変更して実施することも可能である。
【００３６】
(i)前記実施の形態では、ハロゲンランプなどの光源を使用した照明部に適用しているが、ＬＥＤなどの光源を利用した照明部に適用することも可能である。
【００３７】
(ii)前記実施の形態では、係合凸部３Ｂａと係合凹部１１Ａａとはそれぞれ１つずつ設けているだけであるが、例えば複数の係合凹部１１Ａａを等角度間隔で設けて、係合凸部３Ｂａと係合凹部１１Ａａとの係合関係を周方向に変化させることができるようにして、フード部材１１の、照明部３の周方向における取付位置を変更あるいは調整できるようにすることも可能である。
【００３８】
(iii)前記実施の形態では、照明部が１つの１灯式のセンサライトについて説明したが、図１１に示すように、照明部３が２つの２灯式のセンサライト１’についても適用することができる。この場合には、前記(ii)のように、係合凸部と係合凹部との係合関係を周方向において変化させることができるようにすれば、各照明部においてフード部材を取り付ける取付位置を調整あるいは変更することができる。
【００３９】
(iv)前記実施の形態では、フード部材１１の基部１１Ａを保護キャップ部３Ｂと耐熱ガラス１５との間に配置するようにしているが、防水パッキン１４と照明本体部３Ａとの間に配置することもできる。この場合には照明本体部３Ａに係合部（係合凸部）が形成される。また、フード部材１１の基部１１Ａやダミーリング２１側に係合凹部を形成し、保護キャップ部３Ｂや照明本体部３Ａ側に前記係合凹部に係脱可能に係合する係合凸部を設けるようにすることも可能である。
【００４０】
(v)前記実施の形態では、フード本体部の少なくとも一部を、複数の開孔（例えば、円形状の孔や矩形状の孔）が形成されている構成（例えば、パンチングメタル）とすることで、照明範囲の光量を部分的に制限し、近隣住居への照明を低減することができる。つまり、複数の開孔を通過すると、光が減衰するので、開孔の数を変更することで、明るさを調整することができる。
【００４１】
(vi)前記実施の形態では、検知センサ部は本体部の下部に設けているが、本体部の前面部に検知センサ部が取り付けられるものにも同様に適用することができる。
【図面の簡単な説明】
【００４２】
【図１】本発明の一実施の形態に係るセンサライトの斜視図である。
【図２】（ａ）（ｂ）はそれぞれ同側面図および底面図である。
【図３】（ａ）〜（ｃ）はそれぞれフード部材を取り外した状態の側面図、正面図および平面図である。
【図４】（ａ）〜（ｄ）はそれぞれフード部材の斜視図、正面図、側面図および平面図である。
【図５】フード部材の取り付けの説明図である。
【図６】遮光効果の説明図である。
【図７】（ａ）（ｂ）はそれぞれ遮光効果の説明図である。
【図８】フード部材に代えてダミーリングを取り付ける場合の説明図である。
【図９】（ａ）（ｂ）はそれぞれダミーリングの正面図および側面図である。
【図１０】（ａ）（ｂ）はそれぞれ保護キャップ部の背面図および側面図である。
【図１１】他の実施の形態についての図１と同様の図である。
【符号の説明】
【００４３】
１，１’    センサライト
２    本体部
３    照明部
３Ａ    照明本体部
３Ｂ    保護キャップ部
３Ｂａ    係合凸部
４    検知センサ部
１１    フード部材
１１Ａ    フード基部
１１Ａａ    係合凹部
１１Ｂ    フード本体部
1２    ランプ（光源）
２１    ダミーリング
２１ａ    係合凹部
【図１】
2009152157.tif 000003
【図２】
2009152157.tif 000004
【図３】
2009152157.tif 000005
【図４】
2009152157.tif 000006
【図５】
2009152157.tif 000007
【図６】
2009152157.tif 000008
【図７】
2009152157.tif 000009
【図８】
2009152157.tif 000010
【図９】
2009152157.tif 000011
【図１０】
2009152157.tif 000012
【図１１】
2009152157.tif 000013